(57)【特許請求の範囲】
【請求項１】
断熱箱体の前面開口を閉塞するように観音開き式の一対の扉を設け、これら一対の扉のうちの一方の扉の非枢支側裏面に回転可能に支持される仕切り装置を設け、この仕切り装置を前面が開口した断面コ字状の仕切り装置本体と、この仕切り装置本体の前面開口を閉塞する前面板と、前記仕切り装置本体内に内蔵された断熱材及び露付き防止ヒータとで構成し、前記一対の扉を閉めた状態では前記一対の扉の裏面に設けられたシール部材が前記仕切り装置の前記前面板に当接するようにした冷却貯蔵庫の扉装置であって、前記仕切り装置本体の両側面にそれぞれ断熱材を設けると共に、前記仕切り装置本体の両側面のうち前記仕切り装置が設けられていない他方の扉に近い一方の側面に一方の前記断熱材の前方及び側方を遮蔽する第１の断熱材カバーを設けると共に前記他方の扉に近くない他方の側面に他方の前記断熱材の前方を遮蔽する第２の断熱材カバーを前記仕切り装置本体に形成したことを特徴とする冷却貯蔵庫の扉装置。
【発明の詳細な説明】
【技術分野】
【０００１】
本発明は、断熱箱体の前面開口を閉塞するように観音開き式の一対の扉を設け、これら一対の扉のうちの一方の扉の非枢支側内面に回転可能に支持される仕切り装置が設けられた冷却貯蔵庫の扉装置に関する。
【背景技術】
【０００２】
この種の冷却貯蔵庫の扉装置は、センターピラーレス方式のものとして知られており、回転式の仕切り装置を、前面が開口した断面コ字状の仕切り装置本体と、この仕切り装置本体の前面開口を閉塞する前面板と、仕切り装置本体内に内蔵された断熱材及び露付き防止ヒータとで構成し、一対の扉を閉めた状態では一対の扉の非枢支側内面に設けられたガスケット等のシール部材が仕切り装置の前面板に当接するようにし、仕切り装置のある一方の扉を開いたときには仕切り装置が冷却貯蔵庫の庫内側に回転して食品の出し入れの邪魔にならないようにしている（特許文献１参照）。
【先行技術文献】
【特許文献】
【０００３】
【特許文献１】特開２０００−４６４５９号公報
【発明の概要】
【発明が解決しようとする課題】
【０００４】
しかしながら、一対の扉の閉塞時に一対の扉のガスケット等のシール部材が当接する仕切り装置の前面板は鉄板等の金属製で、扉の閉塞時には冷却された庫内温度（冷蔵室で５°Ｃ前後）と同程度の温度になりやすく、冷却貯蔵庫が設置される室内の温度（夏場で３０°Ｃ程度）との温度差が大きいので露が付きやすくなることから、前面板を消費電力が、例えば１０Ｗ以上の露付き防止ヒータで常時２６°Ｃ程度に維持されるように加熱しているため、露付き防止ヒータの電力消費量が大きくなる問題があった。
【０００５】
そこで本発明は、断熱箱体の前面開口を閉塞するように観音開き式の一対の扉を設け、これら一対の扉のうちの一方の扉の非枢支側内面に回転可能に支持される仕切り装置が設けられた冷却貯蔵庫の扉装置において、仕切り装置の前面板の露付き防止を行うための露付き防止ヒータの電力消費量を極力低減することを目的とする。
【課題を解決するための手段】
【０００６】
このため本発明は、断熱箱体の前面開口を閉塞するように観音開き式の一対の扉を設け、これら一対の扉のうちの一方の扉の非枢支側裏面に回転可能に支持される仕切り装置を設け、この仕切り装置を前面が開口した断面コ字状の仕切り装置本体と、この仕切り装置本体の前面開口を閉塞する前面板と、前記仕切り装置本体内に内蔵された断熱材及び露付き防止ヒータとで構成し、前記一対の扉を閉めた状態では前記一対の扉の裏面に設けられたシール部材が前記仕切り装置の前記前面板に当接するようにした冷却貯蔵庫の扉装置であって、前記仕切り装置本体の両側面にそれぞれ断熱材を設けると共に、前記仕切り装置本体の両側面のうち前記仕切り装置が設けられていない他方の扉に近い一方の側面に一方の前記断熱材の前方及び側方を遮蔽する第１の断熱材カバーを設けると共に前記他方の扉に近くない他方の側面に他方の前記断熱材の前方を遮蔽する第２の断熱材カバーを前記仕切り装置本体に形成したことを特徴とする。
【発明の効果】
【０００８】
本発明によれば、仕切り装置本体の両側面に断熱材がそれぞれ設けられているため扉の閉塞時において冷却された庫内の冷熱が仕切り装置本体を介して前面板に伝達しにくくなり、前面板の温度と冷却貯蔵庫が設置される室内の温度との温度差を小さくするための露付き防止ヒータの電力消費量を極力低減でき、しかも第１及び第２の断熱材カバーにより前記各断熱材が露出して外観を損なうことが防止できる。この場合、前記第１の断熱材カバーを前記仕切り装置本体の両側面のうち仕切り装置が設けられていない他方の扉に近い一方の側面に前記断熱材の前方及び側方を遮蔽するように設けたから、前記仕切り装置がない他方の扉を開放したときに前記仕切り装置本体の側面に設けた前記断熱材が露出しないようにでき、外観を損なわないようにできるばかりでなく、食品等の出し入れに際に食品等が前記断熱材に接触してこの断熱材が剥がれたり、損傷するのを防止できる効果を奏する。
【図面の簡単な説明】
【００１０】
【図１】冷却貯蔵庫の正面図である。
【図２】冷却貯蔵庫の扉を開放した状態の斜視図である。
【図３】冷却貯蔵庫の横断面図である。
【図４】冷却貯蔵庫の冷蔵室上部の案内突起の取り付け状態を説明するための斜視図である。
【図５】左側断熱扉と仕切り装置の取り付け状態を説明するための斜視図である。
【図６】仕切り装置の分解斜視図である。
【図７】仕切り装置の横断面図である。
【図８】扉と仕切り装置の当接状態を示す横断面図である。
【図９】冷却貯蔵庫の扉を開放した状態の要部斜視図である。
【図１０】左扉を開放した状態での仕切り装置と案内突起との関係を示す説明図である。
【図１１】（Ａ）は仕切り装置の係合溝に案内突起が係合を開始する状態を示す説明図で、（Ｂ）は仕切り装置の係合溝に案内突起が係合を開始する状態における仕切り装置下部の横断面図である。
【図１２】（Ｃ）は仕切り装置の係合溝の中間部に案内突起が係合した状態を示す説明図で、(Ｄ)は仕切り装置の係合溝の中間部に案内突起が係合した状態における仕切り装置下部の横断面図である。
【図１３】（Ｅ）は仕切り装置の係合溝の最深部に案内突起が係合した状態を示す説明図で、（Ｆ）は仕切り装置の係合溝の最深部に案内突起が係合した状態における仕切り装置下部の横断面図である。
【発明を実施するための形態】
【００１１】
以下、本発明における冷却貯蔵庫の実施の形態を、図１乃至図１６を用いて説明する。図１乃至図３に示すように、冷凍貯蔵室及び冷蔵貯蔵室を備えた冷却貯蔵庫の本体は、前面が開口している断熱箱体１で構成されている。この断熱箱体１は断熱壁で形成され、内箱２と外箱３との間の空間内に発泡ウレタン等の断熱材４を充填したものである。
【００１２】
そして、前記断熱箱体１の内部空間、即ち庫内となる貯蔵室は、略水平な３個の断熱材が充填された水平仕切壁で上下４つの空間に仕切られ、最上部空間が冷蔵室５、上から２段目の空間が断熱材が充填された垂直仕切壁により左右に仕切られて製氷室６及び第１冷凍室７、上から３段目の空間が温度切替室８、また最下部空間が第２冷凍室９となっている。
【００１３】
そして、前記冷蔵室５の前面開口は観音開きの断熱扉１１、１２で開閉自在に閉塞され、製氷室６、第１冷凍室７、温度切替室８、及び第２冷凍室９の前面開口は、それぞれ引き出し式の断熱扉１３乃至１６で開閉自在に閉塞されている。
【００１４】
前記冷蔵室５後方の断熱箱体１内奥部には、この冷蔵室５内に冷気を供給する冷蔵室用通風ダクト１７、送風機１８及び冷却器１９が設けられている。また、前記製氷室６、第１冷凍室７、温度切替室８、及び第２冷凍室９の後方の断熱箱体１内奥部にも、送風機を備えると共に冷却器が配設され、かつ冷気ダクト及び戻りダクトを有するファンダクト組立体（何れも図示せず）が配置されている。
【００１５】
また、前記両冷却器１９（他方は図示せず）は圧縮機、凝縮器、キャピラリーチューブ等の減圧装置、及びアキュムレータ等の気液分離器などとともに順次冷媒配管で接続された冷凍サイクルユニットを構成するものであり、この冷凍サイクルユニットにおいて減圧装置と気液分離器の間に接続され、蒸発器として作用するものである。そして、圧縮機及び凝縮器等は断熱箱体１の後部下側に形成されている機械室に冷却器からのドレン水を回収する蒸発皿（何れも図示せず）とともに配置されている。
【００１６】
そして、上方の冷却器１９で生成された冷気は送風機１８により冷蔵室用通風ダクト１７を介して前記冷蔵室５内に供給され、冷蔵室用通風ダクト１７下部を介して戻り、また下方の前記冷却器で生成された冷気は送風機の運転により冷気ダクトを介して製氷室６、第１冷凍室７、温度切替室８及び第２冷凍室９に供給され、これらの貯蔵室内を冷却した後に、戻りダクトを介して冷気ダクトの下部に戻る構成である。
【００１７】
そして、前記冷蔵室５は冷気量をダンパー等で調節することにより室温が、例えば５°Ｃ前後に維持され、第１冷凍室７は室温がマイナス７°Ｃ程度に維持され、温度切替室８はダンパーの開度切換えにより室温がマイナス２０°Ｃ〜プラス５°Ｃの範囲で切り換えて使用され、第２冷凍室９は室温がマイナス２０°Ｃ程度に維持されるようにしてある。
【００１８】
図４に示すように、前記冷蔵室５の前面開口中央部に位置する天壁２１には、その下面に楕円状の案内突起２２を有する取り付け板２３がビス止めにより固定されている。また、観音開き式の一対の断熱扉１１、１２の内側（裏面）にはペットボトル等を収納する複数の食品ラック２４が設けられると共に、内側周縁部（裏面周縁部）にはシール部材としてのガスケット（マグネット・パッキング）２５が設けられている。
【００１９】
また図５に示すように、断熱扉１１、１２のうち、左側の断熱扉１１の非枢支側内面（裏面）には保持板２６が一体形成され、この保持板２６に回転可能に仕切り装置２７が取り付けられている。図６及び図７に示すように、この仕切り装置２７は断面がコ字状の合成樹脂製の仕切り装置本体２８と、この仕切り装置本体２８の前面開口を覆う鉄板製の前面板２９と、仕切り装置本体２８内に収納される断熱材３０と、この断熱材３０と前面板２９との間に配設される露付き防止ヒータ３１と、仕切り装置本体２８の頂部と底部にそれぞれ嵌め込まれる上キャップ３２及び下キャップ３３と、仕切り装置本体２８の上部と下部にそれぞれ組み込まれて上キャップ３２及び下キャップ３３と連携して仕切り装置２７を回転自在に支持する上ヒンジ装置３４及び下ヒンジ装置３５と、下ヒンジ装置３５と下キャップ３３に係合されて仕切り装置２７に反時計方向の回転力を付与するトグルバネ３６と、仕切り装置本体２８の両側面に接着により取り付けられた断熱材３７、３８とを備えている。そして、仕切り装置２７はこれらを一体に組み立てたものであり、上ヒンジ装置３４及び下ヒンジ装置３５を介して前記保持板２６に回転自在に保持されている。
【００２０】
前記上キャップ３２上面には前記案内突起２２と係合可能な円弧状の案内溝３９が設けられている。また、仕切り装置本体２８の両側には左側の断熱材３７の前方を遮蔽するフランジ状の断熱材カバー４０と右側の断熱材３８の前方及び側方を遮蔽する断面Ｌ字状の断熱材カバー４１とが一体形成されている。
【００２１】
次に、断熱扉１１、１２の開閉に伴う仕切り装置２７の回転動作を、図８乃至図１６を参照して説明する。まず、図８は断熱扉１１、１２が閉じた状態を示している。このとき、断熱扉１１、１２のガスケット２５、２５の磁石４２、４２が仕切り装置２７の前面板２９に吸着し、ガスケット２５、２５が前面板２８に密着した状態で当接するため、冷蔵室５が密閉された状態にある。
【００２２】
前記冷蔵室５は５°Ｃ程度に冷却されているが、仕切り装置本体２８には断熱材３０が内蔵されているばかりでなく。仕切り装置本体２８の両側面には断熱材３７、３８が設けられているため、冷蔵室５内の冷熱が仕切り装置本体２８を介して前面板２９に伝達しにくくなるため、露付き防止ヒータ３１による僅かな加熱で前面板２９を常温程度に維持することができ、夏場のように冷却貯蔵庫が設置された部屋の室温と冷蔵室５の室温との温度差が大きい場合でも僅かな消費電力で断熱扉１１、１２開放時の前面板２９への露付きを防止することができる。
【００２３】
また、右側の断熱扉１２を開放した時でも断熱材３８は断熱材カバー４１で覆われているため、断熱材３８が露出して外観を損なったり、食品等の出し入れの際に食品等が断熱材３８に接触して断熱材３８が剥がれたり、損傷するのを防止できる。
【００２４】
図９及び１０は、左側の断熱扉１１を開放した状態であり、この状態では仕切り装置２７の上キャップ３２の案内溝３９は冷蔵室５の天壁２１に設けられた案内突起２２から外れて、断熱扉１１に対して仕切り装置２７の長手方向が垂直方向となっている。このとき、仕切り装置２７は内蔵するトグルバネ３６の付勢力によって図８に比べて９０°反時計方向に回転しており、この状態でも仕切り装置本体２８の左側（断熱扉１１が閉じられている状態での左側）に設けられた断熱材３７の前方が断熱材カバー４０で覆われているため、断熱材３７が露出して外観を損なうことがないようにしてある。
【００２５】
左側の断熱扉１１を閉める際には、図１１の（Ａ）（Ｂ）に示すように、上キャップ３２の案内溝３９と冷蔵室５の天壁２１の案内突起２２との係合が開始する。この時点では、図１２に示すように、仕切り装置２７はトグルバネ３６の付勢力によって断熱扉１１に対して仕切り装置２７の長手方向が垂直方向となっており、断熱扉１１の上下に固定された上ヒンジ装置３４の軸体４３Ａ及び下ヒンジ装置３５の軸体４３Ｂ（ともに仕切装置本体２８の上下部の支持溝２８Ａ(他方は図示せず)内に回動可能に挿入されている。）を支点として仕切り装置２７は回転することはない。
【００２６】
そして、左側の断熱扉１１が閉まるにつれて上キャップ３２の案内溝３９と冷蔵室５の天壁２１の案内突起２２との係合が進み、これに伴ってトグルバネ３６の付勢力に抗して前記軸体４３Ａ，４３Ｂを支点として仕切り装置２７は時計方向に回転する。図１２の（Ｃ）、（Ｄ）は、仕切り装置２７が４５°時計方向に回転した状態を示す。
【００２７】
そして、左側の断熱扉１１が完全に閉じると、図１３の（Ｅ）、（Ｆ）に示すように、上キャップ３２の案内溝３９の奥部に前記案内突起２２が当接係合し、仕切り装置２７は図１０に比べて９０°時計方向に回転し、図８に示す状態に戻る。
【００２８】
本実施形態のものでは、仕切り装置本体２８の両側面に断熱材３７、３８が設けられているため、冷蔵室５の室温が５°Ｃ前後となる断熱扉１１、１２の閉塞時において冷却された冷蔵室５の冷熱が仕切り装置本体２８を介して前面板２９に伝達しにくくなり、前面板２９の温度と冷却貯蔵庫が設置される室内の温度との温度差を小さくするための露付き防止ヒータ３１の電力消費量を小さくでき、大幅な節電効果が期待できる。
【００２９】
また、仕切り装置本体２８の両側面に設けられた断熱材３７、３８を被覆する断熱材カバー４０、４１が設けられているため、仕切り装置２７がない右側の断熱扉１２を開放したときに仕切り装置本体２８の右側面（断熱扉１１が閉じられている状態での右側面）に設けた断熱材３８が露出したり、左側の断熱扉１１を開放したときに仕切り装置本体２８の左側面に設けた断熱材３７が露出しないようにでき、外観を損なわないようにできるばかりでなく、食品等の出し入れに際に食品等が断熱材３８に接触して断熱材３８が剥がれたり、損傷するのを防止できる。但し、断熱材３７の露出は少なく、断熱材３７が食品等と接触する心配もないので、断熱カバー４０は省略可能である。
【００３０】
なお、仕切り装置２７を左側の断熱扉１１に設けたが、右側の断熱扉１２に設けても良い。
【００３１】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００３２】
１      断熱箱体
１１    断熱扉
１２    断熱扉
２５    ガスケット（シール部材）
２７    仕切り装置
２８    仕切り装置本体
２９    前面板
３０    断熱材
３１    露付き防止ヒータ
３７    断熱材
３８    断熱材
４０    断熱材カバー
４１    断熱材カバー
【図１】
0005753379.tif 000002
【図２】
0005753379.tif 000003
【図３】
0005753379.tif 000004
【図４】
0005753379.tif 000005
【図５】
0005753379.tif 000006
【図６】
0005753379.tif 000007
【図７】
0005753379.tif 000008
【図８】
0005753379.tif 000009
【図９】
0005753379.tif 000010
【図１０】
0005753379.tif 000011
【図１１】
0005753379.tif 000012
【図１２】
0005753379.tif 000013
【図１３】
0005753379.tif 000014